(57)【要約】      （修正有）【課題】従来の椅子の用途は、一般に人がただ「静かに」腰かけるだけの機能を有し、「動きのある」椅子として応用することはできない。本考案は、座るものであると同時に運動の効果も得られる椅子を提供することを課題とする。【解決手段】フィットネス椅子は、椅子支柱１０１の上に回転部品２０が設置され、回転部品２０の椅子支柱１０１から離れた側の一端には調整部品３０が設置され、調整部品３０の位置に自由に回転する状態で着座部４０（座面）が設置されて構成される。着座部支柱４０１と椅子支柱１０１が異なる軸線であることを利用して、この着座部４０は椅子支柱１０１を軸点とし、さらに椅子支柱１０１から着座部支柱４０１までの距離が半径となって円周運動を行なう。従って、人が着座部４０に座り、両足を地に付けた後、ヒップ、ウエストに対して直接円周運動を利用したツイスト運動を行なうことが可能であり、簡単且つ便利に筋肉をほぐし、体を動かすことができる。【選択図】図２
0003135028.tif 000002
【実用新案登録請求の範囲】
【請求項１】
地面に設置して支えるための椅子支柱を備えた脚部と、
一端が自由に回転する方式で脚部の椅子支柱に固定され、他端と異なる軸線で適度な距離を保っている回転部品と、
その一端が回転する軸接続方式で回転部品の他端に設置されていて、他端と異なる軸線で適度な距離を保っている調整部品と、
自由に回転する状態で調整部品の他端に固定される着座部とを備えており、
上述の構成により、着座部は椅子支柱を軸点とし、椅子支柱からの距離を半径として円周回転運動、ツイスト運動を行なうことが可能であり、
調整部品を回転させて、異なる角度で回転部品を固定することにより直接着座部と椅子支柱の距離を調整することで、着座部の回転及び振れの幅を調整し、変更させることを特徴とするフィットネス椅子。
【請求項２】
前記着座部は着座部支柱が自由に回転する状態で調整部品上に固定されることを特徴とする請求項１に記載のフィットネス椅子。
【請求項３】
地面に設置して支えるための椅子支柱を備えた脚部と、
一端が自由に回転する方式で脚部の椅子支柱に固定され、他端と異なる軸線で適度な距離を保っている回転部品と、
自由に回転する状態で回転部品の他端に固定される着座部とを備えており、
上述の構成により、着座部は椅子支柱を軸点とし、椅子支柱からの距離を半径として円周回転運動、ツイスト運動を行なうことを特徴とするフィットネス椅子。
【請求項４】
前記着座部は着座部支柱が自由に回転する状態で回転部品上に固定されることを特徴とする請求項３に記載のフィットネス椅子。
【考案の詳細な説明】
【技術分野】
【０００１】
本考案はフィットネス椅子に関し、特に設計がシンプルで、使用の際も極めて簡単で、便利であり、ただ座ること以外にも多目的に使用でき、本考案の椅子を使用してウエストをひねったり、ヒップを振ったりする遊びや運動の目的を果たし、実用性に優れると同時に、理想的且つ進歩的なこれまでにない斬新なフィットネス椅子に関する。
【背景技術】
【０００２】
固定されて動かないダイニングチェアやベンチ、回転する事務用椅子、背もたれが後ろに倒れて調整可能なリクライニングチェア等、椅子の種類は様々である。実際、椅子は人々の生活にはなくてはならないものであり、家庭においてもオフィスにおいても必需品であって、常に我々の生活と密接に関わっている。
【考案の開示】
【考案が解決しようとする課題】
【０００３】
しかしながら、従来の椅子の用途は、一般にただ人が腰掛けるだけの機能を有するものが多い。やや変化のあるものについては、たいていただ座面がその場で回転するか、背もたれが傾斜するかだけの変化に過ぎない。これらの動作は結局「静かに」座るだけの用途に過ぎず、「動きのある」椅子として応用することはできない。特に、運動を組み合わせた形態の「動きのある」動作がないことは言うまでもない。
【０００４】
言い換えれば、前述のように、椅子は日常生活とは切っても切れない関係にあり、忙しい現代人は運動や余暇を楽しむ時間がない。したがって、椅子が座るものであると同時に運動の効果も得られれば、椅子の使用効率がさらにアップする。特に、いつでもどこでもストレッチや筋肉の疲れをほぐすことができ、同時に、健康に役立ち、ひいては仕事の能率アップにもつながるという複数の効果を有する。
【０００５】
従って、本考案は座るものであると同時に運動の効果も得られる椅子を提供することを課題とする。
【課題を解決するための手段】
【０００６】
上述の課題を解決するために、本考案のフィットネス椅子は、椅子支柱の上に回転部品が設置され、回転部品の椅子支柱から離れた側の一端には調整部品が設置され、調整部品の位置に自由に回転する状態で着座部（座面）が設置されて構成される。着座部支柱と椅子支柱が異なる軸線であることを利用して、この着座部は椅子支柱を軸点とし、さらに椅子支柱から着座部支柱までの距離が半径となって円周運動を行なう。したがって、人が着座部に座り、両足を地に付けた後、ヒップ、ウエストに対して直接円周運動を利用したツイスト運動を行なうことが可能であり、簡単且つ便利に筋肉をほぐし、体を動かすことができる。
【０００７】
また、本考案のフィットネス椅子は、調整部品の一端が回転調整できることにより、直接他端の着座部支柱を椅子支柱の距離まで調整することができる。したがって、椅子支柱を軸点とした着座部の振れ幅も共に調整、変更することが可能であるため、必要に応じて使用者が異なる様々な振れ幅でウエストやヒップのツイスト運動を行なうことができる。
【０００８】
さらに、本考案のフィットネス椅子は、調整部品の一端が回転調整できることにより、直接他端の着座部支柱と椅子支柱を同一軸線にすることができ、着座部が従来の技術と同様に横に振れない状態で同一地点で回転動作を行なう。したがって、本考案は確実に多様な使用が可能である。
【０００９】
またさらに、本考案のフィットネス椅子は、椅子支柱上端に自由に回転する回転部品が設置されており、回転部品が椅子支柱から離れていると同時に、自由に回転する状態で着座部が設置されていることにより、使用者が着座部に座って両足を地に付けた後、着座部支柱と椅子支柱が異なる軸線であることにより、ヒップをツイストさせることで円周運動を行なって、筋肉をほぐし、体を動かすことによるフィットネス運動が可能である。
【考案の効果】
【００１０】
本考案のフィットネス椅子は、着座部支柱と椅子支柱が異なる軸線であることを利用して、この着座部は椅子支柱を軸点とし、さらに椅子支柱から着座部支柱までの距離が半径となって円周運動を行なうことで、人が着座部に座り、両足を地に付けた後、ヒップ、ウエストに対して直接円周運動を利用したツイスト運動を行なうことが可能であり、簡単且つ便利に筋肉をほぐし、体を動かすことができる。
【００１１】
また、本考案のフィットネス椅子は、調整部品の一端が回転調整できることにより、直接他端の着座部支柱を椅子支柱の距離まで調整することができる。したがって、椅子支柱を軸点とした着座部の振れ幅も伴に調整、変更することが可能であるため、必要に応じて使用者が異なる様々な振れ幅でウエストやヒップのツイスト運動を行なうことができる。
【００１２】
さらに、本考案のフィットネス椅子は、調整部品の一端が回転調整できることにより、直接他端の着座部支柱と椅子支柱を同一軸線にすることができ、着座部が従来の技術と同様に横に振れない状態で同一地点で回転動作を行なう。したがって、本考案は確実に多様な使用が可能である。
【００１３】
またさらに、本考案のフィットネス椅子は、椅子支柱上端に自由に回転する回転部品が設置されており、回転部品が椅子支柱から離れていると同時に、自由に回転する状態で着座部が設置されていることにより、使用者が着座部に座って両足を地に付けた後、着座部支柱と椅子支柱が異なる軸線であることにより、ヒップをツイストさせることで円周運動を行なって、筋肉をほぐし、体を動かすことによるフィットネス運動が可能である。
【考案を実施するための最良の形態】
【００１４】
まず、図１及び図２を参照しながら説明する。本考案のフィットネス椅子は、脚部１０、回転部品２０、調整部品３０、着座部４０を備える。
【００１５】
脚部１０は、地面に設置して支えるための椅子支柱１０１を備えている。
【００１６】
回転部品２０は、一端２０１が自由に回転する方式で脚部１０の椅子支柱１０１に固定され、他端２０２と異なる軸線で適度な距離を保っている。回転部品２０と椅子支柱１０１の結合方法は多く、例えば、ベアリングあるいはパワーロックあるいはベアリングキャップ等を介する方法のいずれも可能である。その目的はしっかりと結合させ、回転のスムーズさを得ることにある。本考案においては、ベアリングキャップ２１(ボール２１１、ソケット２１２を含む)によって結合する例を実施例としている。
【００１７】
調整部品３０は、その一端３０１が回転する軸接続方式で回転部品２０の他端２０２に設置されている。そして、他端３０２と異なる軸線で適度な距離を保っている。このうち、回転部品２０に軸接続する方法は多く、本考案においては、その一端３０１が軸棒に設置され、回転部品２０の対応する他端２０２はそれに対応する筒状になっている。互いに結合された後、固定部品Ａ(俗にクイックハンドルと呼ばれるものでも可能である)でしっかりと固定する方式を実施例としている。したがって、調整部品３０は回転しながら異なる角度で  回転部品２０に設置される。
【００１８】
着座部４０は、座面が設置されて使用者が座れ、着座部支柱４０１と組み合わされる(固定部品Ａを介して一体に結合することも可能である)。そして、着座部支柱４０１を介して、自由に回転して調整部品３０の他端３０２に固定される。着座部支柱４０１と調整部品３０の結合方法は多く、例えば、ベアリングあるいはパワーロックあるいはベアリングキャップ等を介する方法のいずれもが可能である。その目的はしっかりと結合させ、回転のスムーズさを得ることにある。本考案においては、ベアリングキャップ２１(ボール２１１、ソケット２１２を含む)によって結合する例を実施例としている。
【００１９】
上述の構成により、回転部品２０の両端２０１、２０２は、異なる軸線を持ち、それぞれ自由に回転する方式で椅子支柱１０１に固定され、調整部品３０の一端３０１が軸接続される。さらに、調整部品３０の両端３０１、３０２もまた異なる軸線を有して、他端３０２は着座部支柱４０１を自由に回転する状態で固定する。調整部品３０を回転、固定設置する際、調整部品の他端３０２と椅子支柱１０１が異なる軸線を有する時、自然と、着座部４０が着座部支柱４０１が自由に回転すると同時に、椅子支柱１０１を軸点とすることにより、椅子支柱１０１から着座部支柱４０１までの距離Ｒを半径として円周回転運動を行なう。したがって、人が着座部４０に座り、両足を地面につけた後、ヒップ、ウエストが直接円周運動によって、ツイスト運動が行えて、簡単且つ便利に筋肉をほぐし、体を動かすことができる。
【００２０】
図３を参照しながら説明する。調整部品３０の一端３０１は、回転する軸接続状態で回転部品２０に設置される。そして、固定部品Ａで固定設置される。必要に応じて、人が回転する調整部品３０を他端の着座部支柱４０１と椅子支柱１０１が形成する最長距離Ｒの位置まで対応させる(図３の俯瞰図に示すとおり、着座部支柱４０１、調整部品３０の軸接続された一端３０１と椅子支柱１０１は互いに一直線を形成して対応する)。したがって、人が着座部４０に座り、両足を地面につけた後、その最長距離Ｒは半径であり、最大幅の円周運動によって、ヒップ、ウエストのツイスト運動が行なえる。
【００２１】
図４、図５を参照しながら説明する。上述のように、人は調整部品３０の回転によって、着座部支柱４０１から椅子支柱１０１までの距離(図５の俯瞰図に示す通り、着座部支柱４０１、調整部品３０の軸接続側の一端３０１と椅子支柱１０１は、互いに非一直線の三角形を形成する)を短縮させる。したがって、人が着座部４０に座り、両足を地面につけた後、その比較的短い距離Ｒ1を半径とし、やや小さい幅の円周運動方式でヒップ、ウエストのツイスト運動が行なえる。
【００２２】
さらに、図６の俯瞰図に示した通り、人は調整部品３０を回転させることで、着座部支柱４０１と椅子支柱１０１を同一軸線とすることができる、したがって、人が着座部４０に座った後、一般に事務用椅子と同様にそのままの位置で回転運動をさせることが可能である。
【００２３】
さらに、図７、図８、図９を参照しながら説明する。本考案は前述の調整部品３０を省略した例である。回転部品２０の一端２０１は、椅子支柱１０１に軸接続された後、別に着座部４０の着座部支柱４０１を直接回転部品２０の回転部品の他端２０２に軸接続して、その回転部品２０の両端２０１、２０２が異なる軸線を有することで、同様に、着座部４０もまた椅子支柱１０１を軸点として、直接回転部品２０の両端２０１、２０２軸線において対応する距離Ｒ2(つまり、椅子支柱１０１から着座部支柱４０１までの距離)を半径として円周回転運動を行なう。さらに、人が着座部４０に座り、両足を地面につけた時、同様にヒップ、ウエストが円周運動方式でツイスト運動が行なえ、簡単且つ便利に筋肉をほぐし、体を動かすことが可能である。
【００２４】
前述の、着座部４０と着座部支柱４０１結合は固定部品Ａを介して行なう。着座部支柱４０１と回転部品２０の結合方式もまた例えば、ベアリングあるいはパワーロックあるいはベアリングキャップ等が可能であり、しっかりと結合させ、回転のスムーズさを得ることができればそれでよい。本考案においては、ベアリングキャップ４１(ボール４１１、ソケット４１２を含む)によって結合する例を実施例としている。
【００２５】
言い換えれば、本考案は少なくとも以下のような特徴を有する。
１．構造がシンプルで、使用が簡単且つ便利である。
２．同時に一般の事務用椅子としても、ウエスト、ヒップのツイスト運動をするフィットネス椅子としても使用可能で、椅子を「動的にも、静的にも」使用でき、椅子の機能を多様化させることが可能である。
３．実際の必要に応じて、簡単に着座部の振れ幅を調整することが可能で、使用者にとって最良で安全に運動及びフィットネス効果が得られる。
４．いつでもどこでもヒップやウエストのツイスト運動が行なえ、筋肉エオプションほぐし、体を動かすことができ、効果的に仕事の能率を高めると同時にフィットネスの目的も果せる。
【図面の簡単な説明】
【００２６】
【図１】本考案の実施例の立体図（一）である。
【図２】図１の分解構造図である。
【図３】図１に示す着座部支柱と椅子支柱の最長距離に対応する位置から見た俯瞰図である。
【図４】本考案の実施例の立体図（二）である。
【図５】図４に示す着座部と椅子支柱を比較的短い距離に調整した位置から見た俯瞰図である。
【図６】本考案の着座部の中心と椅子支柱が同軸線となる位置から見た俯瞰図である。
【図７】本考案の調整部品を設置しない実施例の立体図である。
【図８】図７の分解構造図である。
【図９】図７の実施例を操作時の俯瞰図である。
【符号の説明】
【００２７】
１０      脚部
１０１    椅子支柱
２０      回転部品
２０１    回転部品を椅子支柱に固定する側の一端
２０２    回転部品の他端
２１      ベアリングキャップ
２１１    ボール
２１２    ソケット
３０      調整部品
３０１    調整部品を回転部品に固定する側の一端 
３０２    調整部品の他端
４０      着座部    
４０１    着座部支柱
４１      ベアリングキャップ
４１１    ボール
４１２    ベアリング
Ａ      固定部品
Ｒ      着座部支柱と椅子支柱の最長距離
Ｒ１      着座部支柱と椅子支柱の比較的短い距離
Ｒ２      回転部品の両端軸線対応距離
【図１】
0003135028.tif 000003
【図２】
0003135028.tif 000004
【図３】
0003135028.tif 000005
【図４】
0003135028.tif 000006
【図５】
0003135028.tif 000007
【図６】
0003135028.tif 000008
【図７】
0003135028.tif 000009
【図８】
0003135028.tif 000010
【図９】
0003135028.tif 000011